(57)【要約】【課題】自然なページめくりを表現できること。【解決手段】表示部は、ページめくりの前後で表示するページ数が変わる場合に、めくられているページの端がページめくり後に表示される書籍の端の位置に位置していたかのように、めくられているページを表示し、ページめくりの前後で表示する書籍について、ページめくり方向の中心位置が同じになるように表示する。【選択図】図２
2012221308.tif 000002
【特許請求の範囲】
【請求項１】
電子的な書籍の画像を表示する表示装置において、
ページめくりの前後で表示するページ数が変わる場合に、めくられているページの端がページめくり後に表示される書籍の端の位置に位置していたかのように、めくられているページを表示し、
ページめくりの前後で表示する書籍について、ページめくり方向の中心位置が同じになるように表示する表示部を備えることを特徴とする表示装置。
【請求項２】
前記表示部は、ページめくりの前後で、前記端の位置が異なる書籍の画像を表示することを特徴とする請求項１に記載の表示装置。
【請求項３】
ページめくりの指示を検出するめくり動作検出部と、
前記めくり動作検出部がページめくりの指示を検出した場合に、ページめくり後に表示されるページ数を決定する表示ページ数決定部と、
前記表示ページ数決定部が決定したページ数に基づいて、前記端の位置を決定するめくり開始位置決定部と、
を備えることを特徴とする請求項１から請求項２のいずれか一項に記載の表示装置。
【請求項４】
前記表示部が表示するページ数と書籍の端の位置とを対応付けて記憶する位置情報記憶部を備え、
前記めくり開始位置決定部は、前記表示ページ数決定部が決定したページ数に対応する書籍の端の位置を、前記端の位置として決定することを特徴とする請求項３に記載の表示装置。
【請求項５】
ページめくりの前後で表示するページ数が変わる場合に、めくられているページの端がページめくり後に表示される書籍の端の位置に位置していたかのように、ページがめくられた画像を生成し、ページめくりの前後で表示する書籍について、ページめくり方向の中心位置が同じになるように表示させる画像を生成することを特徴とするプロセッサ。
【請求項６】
電子的な書籍の画像を表示する表示装置における表示方法において、  
表示部が、ページめくりの前後で表示するページ数が変わる場合に、めくられているページの端がページめくり後に表示される書籍の端の位置に位置していたかのように、めくられているページを表示し、ページめくりの前後で表示する書籍について、ページめくり方向の中心位置が同じになるように表示する過程を有することを特徴とする表示方法。
【請求項７】
電子的な書籍の画像を表示する表示装置のコンピュータに、  
ページめくりの前後で表示するページ数が変わる場合に、めくられているページの端がページめくり後に表示される書籍の端の位置に位置していたかのように、めくられているページを表示し、ページめくりの前後で表示する書籍について、ページめくり方向の中心位置が同じになるように表示する手順を実行させるための表示プログラム。
【発明の詳細な説明】
【技術分野】
【０００１】
本発明は、表示装置、プロセッサ、表示方法、及び表示プログラムに関する。
【背景技術】
【０００２】
近年、書籍の画像を表示する電子書籍装置が注目を集めている。電子書籍装置では、書籍のページを移動する際に、実際の本がめくれるかの如く画像を変化させる。例えば、特許文献１の図１０から図１４には、ページめくり処理において表示されるページめくりサムネイル画像の様子が記載されている。
【０００３】
また、ページめくり処理において、表示するページ数が変わる場合の表示として、図８の画面遷移が知られている。
図８は、従来技術に係るページめくり処理における画面遷移を表す概略図である。この図は、タッチパネル式の電子書籍装置において、表示するページ数が１ページから２ページに変わる場合の画面遷移を表す。この図において、画像Ｂ１は、１ページで表示されている書籍（０ページとする）を表す画像である。ユーザが画像Ｂ１が表示されているディスプレイに指を触れ、触れた指を移動させると、その指の位置によって画像Ｂ２、Ｂ３、Ｂ４が表示される。例えば、ユーザの指の位置が、書籍のページをめくる方向に画像Ｂ３を超えた場合に、画像Ｂ４が表示される。
ここで、画像Ｂ３において、破線Ａ１０で囲った領域の画像Ａ１０は書籍の１ページ目の右半分を表し、破線Ａ１１で囲った領域の画像Ａ１１は書籍の２ページ目の左半分を表す。つまり、画像Ｂ３が表示されている状態では、１ページ目の右半分及び２ページ目の左半分のみが表示されている。画像Ｂ４において、破線Ａ１２で囲った領域の画像Ａ１２は書籍の１ページ目の左半分を表し、破線Ａ１３で囲った領域の画像Ａ１３は、書籍の２ページ目の右半分を表す。
【先行技術文献】
【特許文献】
【０００４】
【特許文献１】特開２００８−１５８６７６号公報
【発明の概要】
【発明が解決しようとする課題】
【０００５】
しかしながら、図８の画面遷移では、画像Ｂ３から画像Ｂ４に変わるときに、画像Ａ１２及び画像Ａ１３が突然に現れる。この突然の画像の出現は、ユーザに不自然な印象を与えてしまう、という欠点があった。
【０００６】
本発明は上記の点に鑑みてなされたものであり、より自然なページめくりを表現できる表示装置、プロセッサ、表示方法、及び表示プログラムを提供する。
【課題を解決するための手段】
【０００７】
（１）本発明は上記の課題を解決するためになされたものであり、本発明の一態様は、電子的な書籍の画像を表示する表示装置において、ページめくりの前後で表示するページ数が変わる場合に、めくられているページの端がページめくり後に表示される書籍の端の位置に位置していたかのように、めくられているページを表示し、ページめくりの前後で表示する書籍について、ページめくり方向の中心位置が同じになるように表示する表示部を備えることを特徴とする表示装置である。
【０００８】
（２）また、本発明の一態様は、上記の表示装置において、前記表示部は、ページめくりの前後で、前記端の位置が異なる書籍の画像を表示することを特徴とする。
【０００９】
（３）また、本発明の一態様は、上記の表示装置において、ページめくりの指示を検出するめくり動作検出部と、前記めくり動作検出部がページめくりの指示を検出した場合に、ページめくり後に表示されるページ数を決定する表示ページ数決定部と、前記表示ページ数決定部が決定したページ数に基づいて、前記端の位置を決定するめくり開始位置決定部と、を備えることを特徴とする。
【００１０】
（４）また、本発明の一態様は、上記の表示装置において、前記表示部が表示するページ数と書籍の端の位置とを対応付けて記憶する位置情報記憶部を備え、前記めくり開始位置決定部は、前記表示ページ数決定部が決定したページ数に対応する書籍の端の位置を、前記端の位置として決定することを特徴とする。
【００１１】
（５）また、本発明の一態様は、ページめくりの前後で表示するページ数が変わる場合に、めくられているページの端がページめくり後に表示される書籍の端の位置に位置していたかのように、ページがめくられた画像を生成し、ページめくりの前後で表示する書籍について、ページめくり方向の中心位置が同じになるように表示させる画像を生成することを特徴とするプロセッサである。
【００１２】
（６）また、本発明の一態様は、電子的な書籍の画像を表示する表示装置における表示方法において、表示部が、ページめくりの前後で表示するページ数が変わる場合に、めくられているページの端がページめくり後に表示される書籍の端の位置に位置していたかのように、めくられているページを表示し、ページめくりの前後で表示する書籍について、ページめくり方向の中心位置が同じになるように表示する過程を有することを特徴とする表示方法である。
【００１３】
（７）また、本発明の一態様は、電子的な書籍の画像を表示する表示装置のコンピュータに、ページめくりの前後で表示するページ数が変わる場合に、めくられているページの端がページめくり後に表示される書籍の端の位置に位置していたかのように、めくられているページを表示し、ページめくりの前後で表示する書籍について、ページめくり方向の中心位置が同じになるように表示する手順を実行させるための表示プログラムである。
【発明の効果】
【００１４】
本発明によれば、より自然なページめくりを表現できる。
【図面の簡単な説明】
【００１５】
【図１】本発明の実施形態に係る電子書籍装置の外観図である。
【図２】本実施形態に係るページめくり処理における画面遷移を表す概略図である。
【図３】本実施形態に係る電子書籍装置のハードウェア構成を示す概略ブロック図である。
【図４】本実施形態に係る電子書籍装置の論理的構成を示す概略ブロック図である。
【図５】本実施形態に係る電子書籍装置の動作の一例を示すフローチャートである。
【図６】本実施形態に係るページめくり処理の効果の一例を説明するための説明図である。
【図７】本実施形態の変形例に係るページめくり処理における画面遷移を表す概略図である。
【図８】従来技術に係るページめくり処理における画面遷移を表す概略図である。
【発明を実施するための形態】
【００１６】
以下、図面を参照しながら本発明の実施形態について詳しく説明する。
図１は、本発明の実施形態に係る電子書籍装置１の外観図である。この図において、電子書籍装置１は、ユーザに保持されている。電子書籍装置１のディスプレイ１４１には、書籍の画像が表示されている。電子書籍装置１のディスプレイ１４１には、タッチパネル１０１がかぶせられている。電子書籍装置１のタッチパネル１０１は、ユーザが触れた位置を検出することで、ユーザから入力を受け付ける。
【００１７】
例えば、電子書籍装置１は、タッチ（Ｔｏｕｃｈ）入力、スライド（Ｓｌｉｄｅ）入力、フリック（Ｆｌｉｃｋ）入力を受け付ける。タッチ入力とは、ユーザが、タッチパネル１０１に指を接触させて、指を移動させずにそのまま指をタッチパネル１０１から離す入力である。スライド入力とは、ユーザが、タッチパネル１０１に指を接触させて、指を接触させたまま移動させる入力である。フリック入力とは、ユーザが、タッチパネル１０１に接触させた指を素早く払うように動かす入力である。
【００１８】
図２は、本実施形態に係るページめくり処理における画面遷移を表す概略図である。この図は、画像ｂ１１、ｂ１２、ｂ１３、ｂ１４の順に、書籍の画像が表示されることを表す。なお、この図においてユーザの指の位置は省略しているが、ユーザは、ディスプレイ１４１の右側から左側へ、つまり、ページをめくる方向（ページめくり方向）へスライド入力している（図６参照）。なお、ページめくり方向は、左側から右側であってもよいし、縦めくりの書籍では上下方向であってもよい。
【００１９】
画像ｂ１１は、書籍の表紙を表す画像である。画像ｂ１１は、１ページで表示されている画像である（以下、Ｎページで表示することを、Ｎページ表示ともいう）。
画像ｂ１２は、画像ｂ１１が表示されている場合に、タッチパネル１０４に指を接触させた後、ページめくり方向へのスライド入力を開始した場合、又は、接触させた後に予め定めた時間が経過した場合、に表示される画像である。画像ｂ１２は、書籍のページがめくれ始めたことを表す画像である。
【００２０】
画像ｂ１２において、符号ｓ１１を付した破線で囲まれた位置ｓ１１は、めくられているページの端が位置していた位置（めくり開始位置という）である。めくられているページにおいて、符号ｓ１２を付した破線で囲まれたページの端は、めくり開始位置に位置していたことを表す。めくり開始位置は、ページをめくり終わった場合（ページめくり後という）に表示される書籍の端の位置と一致している（画像ｂ１４参照）。
画像ｂ１２において、符号ｃ１１を付した一点鎖線ｃ１１は、めくられているページを折り返す位置（折り返し位置という）を表す。折り返し位置は、ページめくり後に表示される書籍における、ページの境界と一致している（画像ｂ１４参照）。図２の場合、つまり、２ページ表示の場合、折り返し位置は、ページめくり後に表示される書籍における、ページめくり方向の長さの１／２の位置となる。なお、ページめくり方向にＮページを表示する場合、折り返し位置は、ページめくり後に表示される書籍における、ページめくり方向の長さのｎ／Ｎ（ｎ＝１、２、・・・Ｎ−１）の位置のいずれか又は全部としてもよい。
符号ｐ１１を付した破線で囲まれた領域の画像ｐ１１は、１ページ目に表示される書籍の内容（文字や図形、写真等。コンテンツともいう）である。
【００２１】
画像ｂ１３は、画像ｂ１２が表示されている場合に、ページめくり方向へのスライド入力を継続した場合に表示される画像である。画像ｂ１３は、折り返し位置ｃ１１を中心にして、ページがめくられたことを示す。符号ｐ１２を付した破線で囲まれた領域の画像ｐ１２は、２ページ目に表示される書籍の内容である。
画像ｂ１４は、画像ｂ１３が表示されている場合に、ページめくり方向へのスライド入力をさらに継続した場合に表示される画像である。画像ｂ１４は、ページめくり後に表示される書籍を表す画像である。画像ｂ１４は、２ページ表示の画像である。
【００２２】
このように、図２の画面フローでは、１ページ表示（画像ｂ１１）から２ページ表示（画像ｂ１４）に変わっている。すなわち、ページめくりの前後で、表示するページ数（表示ページ数という）が変わっている。この場合に、電子端末装置１は、めくられているページの端がページめくり後に表示される書籍の端の位置に位置していたかのように、めくられているページを表示するので、ページめくり後に図８のような画像の出現はなく、より自然なページめくりを表現できる。また、電子端末装置１は、ページめくりの前後で表示する書籍について、ページめくり方向の中心位置が同じになるように表示するので、突然の書籍の移動や、ユーザの視点の移動を防止でき、より自然なページめくりを表現できる。
【００２３】
図３は、本実施形態に係る電子書籍装置１のハードウェア構成を示す概略ブロック図である。この図において、電子書籍装置１は、タッチパネル１０１、操作ボタン１０２、センサ１０３、カメラ１１１、無線通信部１１２、インタフェース１１３、外部記憶装置１２、主記憶装置１３０、ＣＰＵ（中央処理装置）１３、ディスプレイ１４１、スピーカ１４２、発光部１４３、及び、電池１４４を含んで構成される。電子書籍装置１の各部は、バス等によって接続され、電気信号の入出力を行う。
【００２４】
タッチパネル１０１は、座標を感知する透明のパネルであり、ディスプレイ１４１の上にかぶせられている。タッチパネル１０１は、ペンや指で押されることで、ユーザからの入力を受け付ける。
操作ボタン１０２は、押下されることにより、ユーザからの入力を受け付ける。なお、電子書籍装置１は、操作ボタンの押下により、スライド入力等に相当する入力を受け付けてもよい。
センサ１０３は、加速度を検出する加速度センサや明るさ（例えば、照度）を検出する明るさセンサである。なお、センサ１０３は、人間の感覚に代わり、温度・湿度・圧力・磁気・光・ガス・超音波・電磁波などを検出するものであってもよい。
【００２５】
カメラ１１１は、光量に応じて電気信号に変換するＣＣＤ（電荷結合素子）やＣＭＯＳ（相補型金属酸化膜半導体）などの半導体センサを撮像素子として用いて、写真を撮影する光学装置である。
無線通信部１１２は、外部機器と無線通信を行う。
インタフェース１１３は、外部機器との接続インタフェースである。電子書籍装置１は、インタフェース１１３を介して、例えば、ＰＣ（パーソナルコンピュータ）と接続して有線通信を行う。また、電子書籍装置１は、インタフェース１１３を介して、例えば、外部電源と接続して、電池１４４を充電する。
【００２６】
外部記憶装置１２は、磁気ディスク等の記憶装置である。外部記憶装置１２は、コンピュータプログラムやデータを記憶する。
主記憶装置１３０は、ＣＰＵ１３が直接高速で情報の読み書きができる記憶装置である。処理されるデータ、直接実行させるプログラム、演算される出力情報が記憶されており、記憶素子にはＩＣ（集積回路）やＬＳＩ（大規模集積回路）などが用いられる。
ＣＰＵ１３は、主記憶装置１３０が記憶するプログラムを実行し、データの処理を行う。
【００２７】
ディスプレイ１４１は、表示装置であり、例えば、液晶ディスプレイである。
スピーカ１４２は、電気信号を音声に変えて出力する。
発光部１４３は、発光することによりユーザへ報知する。発光部１４３には、例えば、ＬＥＤ（発光ダイオード）が用いられる。
電池１４４は、充電可能な電池であり、電子書籍装置１の各部に電力を供給する。
【００２８】
図４は、本実施形態に係る電子書籍装置１の論理的構成を示す概略ブロック図である。この図において、電子書籍装置１は、入力部１０、書籍情報記憶部１２１、位置情報記憶部１２２、めくり動作検出部１３１、表示ページ数決定部１３２、めくり開始位置決定部１３３、折返位置決定部１３４、めくり表示制御部１３５、及び表示部１４１を含んで構成される。なお、この図では、ページめくり処理に関する構成のみを示すが、電子書籍装置１は、その他の一般的な電子書籍装置が備える構成を備える。
【００２９】
入力部１０は、ユーザからの入力を受け付ける。入力部１０は、タッチパネル１０１や操作ボタン１０２により実現される。
書籍情報記憶部１２１は、書籍の識別情報、ページ番号、そのページ番号のページに表示される書籍の内容情報を対応づけた書籍情報を記憶する。この書籍情報は、例えば、電子書籍装置１が無線通信部１１２やインタフェース１１３を介した通信により、取得した情報である。また、書籍情報記憶部１２１は、ディスプレイ１４１に表示されている書籍の識別情報、書籍の表示サイズ（単に表示サイズともいう）、ディスプレイ１４１に表示されているページのページ番号、ページめくり前の表示ページ数（めくり前表示ページ数という）、ページめくり後の表示ページ数（めくり後表示ページ数という）を対応付けた表示ページ情報を記憶している。
例えば、図２で画像ｂ１１が表示されている場合、表示しているページのページ番号が「０」（表紙）であり、めくり前表示ページ数が「１」であり、めくり後表示ページ数が「２」である。なお、表示サイズとは、例えば、「１２０％」、「１００％」、「７５％」のように指定される値であり、予め設定された（デフォルト）表示サイズからの拡大率を表す。なお、書籍情報記憶部１２１は、ページめくり方向毎に、めくり後表示ページ数を記憶してもよい。
【００３０】
位置情報記憶部１２２は、表示サイズ毎に、表示ページ数とめくり開始位置とを対応付けた開始位置情報を記憶する。また、位置情報記憶部１２２は、表示サイズ毎に、表示ページ数と折り返し位置とを対応付けた折返位置情報を記憶する。
めくり動作検出部１３１は、ディスプレイ１４１に書籍の画像を表示しているときに、ページめくり方向へのスライド入力、又は、操作ボタン１０２の押下を検出したか否かを判定することにより、ページめくりの指示を検出したか否かを判定する。ページめくりの指示を検出した場合、めくり動作検出部１３１は、ページをめくる方向（スライド入力の方向）を示す情報を含むめくり指示を表示ページ数決定部１３２及びめくり表示制御部１３５に出力する。
【００３１】
表示ページ数決定部１３２は、めくり動作検出部１３１からめくり指示が入力されると、書籍情報記憶部１２１から表示ページ情報を読み出す。すなわち、表示ページ数決定部１３２は、めくり動作検出部１３１がページめくりの指示を検出した場合に、ページめくり後に表示されるページ数を決定する。表示ページ数決定部１３２は、読み出した表示ページ情報の表示サイズ及びめくり後表示ページ数を示す情報を、めくり開始位置決定部１３３及びめくり表示制御部１３５に出力する。
【００３２】
めくり開始位置決定部１３３は、位置情報記憶部１２２が記憶する開始位置情報から、表示ページ数決定部１３２から入力された情報が示す表示サイズ及びめくり後表示ページ数に対応するめくり開始位置を抽出する。すなわち、めくり開始位置決定部１３３は、表示ページ数決定部１３２が決定したページ数に基づいて、めくり開始位置（書籍の端の位置）を決定する。めくり開始位置決定部１３３は、抽出しためくり開始位置を示す情報をめくり表示制御部１３５に出力する。また、めくり開始位置決定部１３３は、表示ページ数決定部１３２から入力された情報を、折り返し位置決定部１３４に出力する。
【００３３】
折返位置決定部１３４は、位置情報記憶部１２２が記憶する折返位置情報から、めくり開始位置決定部１３３から入力された情報が示す表示サイズ及びめくり後表示ページ数に対応する折り返し位置を抽出する。すなわち、折返位置決定部１３４は、表示ページ数決定部１３２が決定したページ数に基づいて、折り返し位置を決定する。折返位置決定部１３４は、抽出した折り返し位置を示す情報をめくり表示制御部１３５に出力する。
【００３４】
めくり表示制御部１３５は、めくり動作検出部１３１からめくり指示が入力されると、表示ページ数決定部１３２から入力された情報が示す表示サイズ及びめくり後表示ページ数、めくり開始位置決定部１３３から入力された情報が示すめくり開始位置、折返位置決定部１３４から入力された折り返し位置に基づいて、ページめくり処理を行う。
具体的には、めくり表示制御部１３５は、書籍情報記憶部１２１が記憶する表示情報のページ番号、めくり後表示ページ数に基づいて、ページめくり後に表示される書籍のページ番号を算出する。例えば、表示情報のページ番号の最大値がＮ１、めくり後表示ページ数がＮ２の場合には、めくり表示制御部１３５は、ページ番号として、Ｎ１＋１〜Ｎ１＋Ｎ２−１を算出する。なお、ページめくり方向が書籍のページが増加する方向と逆の場合には、めくり表示制御部１３５は、ページ番号として、Ｎ１−１〜Ｎ１−Ｎ２＋１を算出する。
【００３５】
めくり表示制御部１３５は、算出したページ番号のページのうち、ページめくり後に、めくり開始位置から折り返し位置の間に位置するページの書籍の内容情報を、書籍情報記憶部１２１から読み出して、表示部１４１に表示させる（図２では、２ページ目の内容情報）。なお、ページめくりの前後で表示される書籍の画像は、表示ページ数が変わる場合であっても、ページめくり方向の中心位置が同じである。めくり表示制御部１３５は、表示した書籍の内容情報に一部が重ねるように、めくられているページを表示部１４１に表示させる。ここで、めくり表示制御部１３５は、めくられているページの端がめくり開始位置に位置し、折り返し位置でページが折り返されるように、めくられているページを表示させる（図２の画像ｂ１２参照）。
また、めくり表示制御部１３５は、めくられているページに、そこに位置する書籍の内容情報（例えば、図２の画像ｐ１１）を重ねて表示させる。なお、めくり表示制御部１３５は、スライド入力の場合、ディスプレイに触れている指の位置が、めくられているページの端の一部に位置するように、めくられているページを表示させる。
【００３６】
すなわち、めくり表示制御部１３５は、ページめくりの前後で表示するページ数が変わる場合に、めくられているページの端がページめくり後に表示される書籍の端の位置に位置していたかのように、ページがめくられた画像を生成する。また、めくり表示制御部１３５は、ページめくりの前後で表示する書籍について、ページめくり方向の中心位置が同じになるように表示させる画像を生成する。
めくり表示制御部１３５は、ページめくり後に、表示させた書籍の識別情報、表示サイズ、ページ番号で、表示ページ情報を更新する。また、電子書籍装置１がページ番号と表示ページ数との対応情報を予め記憶しており、めくり表示制御部１３５は、この対応情報と表示させたページ番号とに基づいて、表示ページ情報のめくり前表示ページ数、及びめくり後表示ページ数を更新する。
【００３７】
表示部１４１は、ディスプレイ１４１により実現される。表示部１４１は、めくり表示制御部１３５からの入力に従って、画像を表示する。
つまり、表示部１４１は、ページめくりの前後で表示ページ数が変わる場合に、ページめくり後に表示される書籍の内容情報であって、めくり開始位置から折り返し位置の間に位置する内容情報を、ページめくりの途中に、ページめくり後に表示される位置に表示する。また、表示部１４１は、めくられているページの端がページめくり後に表示される書籍の端の位置（めくり開始位置）に位置し、めくられているページが折り返し位置で折り返されるように、めくられているページを表示する。
以上のように、表示部１４１は、ページめくりの前後で表示するページ数が変わる場合に、めくられているページの端がページめくり後に表示される書籍の端の位置に位置していたかのように、めくられているページを表示する。また、表示部１４１は、ページめくりの前後で表示する書籍について、ページめくり方向の中心位置が同じになるように表示する。
【００３８】
図５は、本実施形態に係る電子書籍装置１の動作の一例を示すフローチャートである。
（ステップＳ１０１）ＣＰＵ１３は、書籍の画像を表示する。その後、ステップＳ１０２へ進む。
（ステップＳ１０２）めくり動作検出部１３１は、ページめくりの指示を検出したか否かを判定する。ページめくりの指示を検出したと判定した場合（Ｙｅｓ）、ステップＳ１０３へ進む。一方、ページめくりの指示を検出していないと判定した場合（Ｎｏ）、ステップＳ１０２へ戻る。
【００３９】
（ステップＳ１０３）表示ページ数決定部１３２は、めくり後表示ページ数を読み出し、その表示ページ数をページめくり後の表示ページ数に決定する。その後、ステップＳ１０４へ進む。
（ステップＳ１０４）めくり開始位置決定部１３３は、ステップＳ１０３で決定された表示ページ数（めくり後表示ページ数）と開始位置情報に基づいて、めくり開始位置を決定する。その後、ステップＳ１０５へ進む。
（ステップＳ１０５）折返位置決定部１３４は、ステップＳ１０３で決定された表示ページ数と折返位置情報に基づいて、折り返し位置を決定する。その後、ステップＳ１０６へ進む。
【００４０】
（ステップＳ１０６）めくり表示制御部１３５は、ステップＳ１０４で決定されためくり開始位置、及び、ステップＳ１０５で決定された折り返し位置に基づいて、ページがめくられていく書籍の画像を表示する。その後、ステップＳ１０７へ進む。
（ステップＳ１０７）めくり表示制御部１３５は、ページをめくり終わった書籍の画像を表示する。その後、動作を終了する。
【００４１】
以上のように、本実施形態では、めくり動作検出部１３１はページめくりの指示を検出する。表示ページ数決定部１３２はめくり動作検出部１３１がページめくりの指示を検出した場合に、表示ページ数（めくり後表示ページ数）を決定する。めくり開始位置決定部１３３は、表示ページ数決定部１３２が決定した表示ページ数に基づいて、めくり開始位置を決定する。表示部１４１は、表示ページ数決定部１３２が決定した表示ページ数、及び、めくり開始位置決定部１３３が決定しためくり開始位置に基づいて、ページめくりの前後で表示するページ数が変わる場合に、めくられているページの端がページめくり後に表示される書籍の端の位置に位置していたかのように、めくられているページを表示する。
これにより、本実施形態では、電子書籍装置１は、自然なページめくりを表現できる。
【００４２】
また、本実施形態では、表示部１４１は、ページめくりの前後で表示する書籍について、ページめくり方向の中心位置が同じになるように表示する。また、表示部１４１は、ページめくりの前後で、端の位置が異なる書籍の画像を表示する。これにより、本実施形態では、電子書籍装置１は、突然の書籍の移動や、ユーザの視点の移動を防止でき、より自然なページめくりを表現できる。
【００４３】
以下、図６を用いて本実施形態の効果の一例について説明する。  
図６は、本実施形態に係るページめくり処理の効果の一例を説明するための説明図である。この図は、図２の画面遷移にユーザの手の画像を追加したものである。
画像ｂ１１から画像ｂ１２に遷移するとき、ユーザの手は符号ｆ１１を付した位置（ページがめくられ始める側）、つまり、めくり開始位置付近にある。この場合、めくられたページの下に位置する画像の部分は、ユーザの目からはユーザの手の影となる。つまり、ページめくり後の書籍の画像が出現しても、手の影となっているので、ユーザに不自然な印象を与えにくい。その後、ユーザが指をスライドさせて手を符号ｆ１３を付した位置に移動させるが、本実施形態では、従来技術のような画像の突然の出現はなく、より自然なページめくりを表現できる。
また、本実施形態に係る電子書籍装置１では、ページめくりの前後で、書籍の中心が移動していない。これにより、突然の書籍の移動や、ユーザの視点の移動を防止でき、より自然なページめくりを表現できる。
【００４４】
＜変形例＞
以下、本実施形態の変形例について説明をする。本変形例では、上記実施形態と比較して、ページの折り返し方が異なる。
図７は、本実施形態の変形例に係るページめくり処理における画面遷移を表す概略図である。この図は、画像ｂ２２、ｂ２３、ｂ２４、ｂ２５の順に、書籍の画像が表示されることを表す。なお、画像ｂ２２が表示される前の画像は、図２の画像ｂ１１である。
【００４５】
画像ｂ２２、ｂ２３において、符号ｃ２１を付した一点鎖線ｃ２１及び符号ｃ２２を付した二点鎖線ｃ２２は、折り返し位置を表す。図７は、折り返し位置が移動していることを表す。具体的には、折返位置決定部１３４は、スライド入力における指の位置に応じて、折り返し位置を移動させる。例えば、折返位置決定部１３４は、ページめくり方向について、指の位置から書籍の中心位置を差し引いた値を予め定めた値（例えば「２」）で除算し、除算後の値を書籍の中心位置に加算した位置を、折り返し位置とする。
また、画像ｂ２４は、折り返し位置が停止し、停止した折り返し位置（二点鎖線ｃ２２）を中心にページが折り返されることを示す。予め定めた位置とは、例えば、ページめくり方向について、書籍の端の位置から書籍の中心位置を差し引いた値を予め定めた値（例えば２）で除算し、除算後の値を書籍の中心位置に加算した位置である。
具体的な電子書籍装置１の処理としては、折返位置決定部１３４は、折り返し位置が予め定めた位置に到達した場合、折り返し位置の変更を停止する。めくり表示制御部１３５は、折返位置決定部１３４が変更を停止した折り返し位置を中心にページが折り返す。
【００４６】
なお、上記実施形態において、ページめくり方向が画面の横方向である場合の図面について説明したが、本発明はこれに限らず、縦方向であってもよい。つまり、書籍は、縦方向にめくる書籍（例えば、縦めくりのカレンダー）であってもよい。
また、上記実施形態において、ページめくりを適用する対象は、書籍の画像でなくてもよい。例えば、写真やＴＶ（テレビジョン）画面に適用してもよい。
【００４７】
なお、上記実施形態において、ページめくり方向が書籍のページが増加する方向と同じ場合について説明をした。しかし本発明はこれに限らず、ページめくり方向が書籍のページが増加する方向と逆であってもよい。
【００４８】
なお、上述した実施形態における電子書籍装置１の一部、例えば、入力部１０、書籍情報記憶部１２１、めくり動作検出部１３１、表示ページ数決定部１３２、めくり開始位置決定部１３３、折返位置決定部１３４、めくり表示制御部１３５、及び表示部１４１をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、電子書籍装置１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における電子書籍装置１の一部、または全部を、ＬＳＩ（Ｌａｒｇｅ  Ｓｃａｌｅ  Ｉｎｔｅｇｒａｔｉｏｎ）等の集積回路として実現しても良い。電子書籍装置１の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００４９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５０】
１・・・電子書籍装置、１０１・・・タッチパネル、１０２・・・操作ボタン、１０３・・・センサ、１１１・・・カメラ、１１２・・・無線通信部、１１３・・・インタフェース、１２・・・外部記憶装置、１３０・・・主記憶装置、１３・・・ＣＰＵ、１４１・・・ディスプレイ（表示部）、１４２・・・スピーカ、１４３・・・発光部、１４４・・・電池、１０・・・入力部、１２１・・・書籍情報記憶部、１２２・・・位置情報記憶部、１３１・・・めくり動作検出部、１３２・・・表示ページ数決定部、１３３・・・めくり開始位置決定部、１３４・・・折返位置決定部、１３５・・・めくり表示制御部
【図１】
2012221308.tif 000003
【図２】
2012221308.tif 000004
【図３】
2012221308.tif 000005
【図４】
2012221308.tif 000006
【図５】
2012221308.tif 000007
【図６】
2012221308.tif 000008
【図７】
2012221308.tif 000009
【図８】
2012221308.tif 000010